(57)【要約】  【課題】  映像信号の輪郭部の傾きに関係なく、一定の遅延時間で補正していたため、輪郭部の変化する傾きを直線的に立てることができなかった。また、急峻な変化点を持った信号ではかえって画質を劣化させてしまうという問題点があった。  【解決手段】  入力された映像信号Ｓ１００の傾き量を検出して、該傾き量に応じた遅延量を選択する傾き検出判定回路１１７を設け、該入力信号のサンプルごとの傾きに応じて選択された遅延量を処理対象となるサンプリング点の前後で遅延させ、該遅延させた映像信号にゲインをかけて、処理対象のサンプリング点に加算することで、輪郭補正後の映像信号を得る。【選択図】  図１
2005236805.tif 000002
【特許請求の範囲】
【請求項１】
入力された信号から該信号の傾きを検出する傾き検出ステップと、
前記検出された傾きの連続性を判定する傾き判定ステップと、
前記傾き判定ステップの判定結果に基づいて、前記入力信号のサンプル点毎に輪郭補正を行う輪郭補正ステップと、を含む、
ことを特徴とする輪郭補正方法。
【請求項２】
請求項１に記載の輪郭補正方法において、
前記傾き判定ステップは、
前記検出された傾きの極性を検出して、該極性の連続性を判定する極性連続判定ステップと、
前記検出された傾きの絶対値を検出して、該絶対値が予め設定された第１の閾値より大きい連続性を判定する絶対値連続判定ステップとを含み、
前記極性が連続する期間で、且つ前記第１の閾値より大きい前記絶対値が連続する期間を検出し、該検出された期間の長さにより前記入力信号の傾きの連続性を判定する、
ことを特徴とする輪郭補正方法。
【請求項３】
請求項１に記載の輪郭補正方法において、
前記傾き判定ステップは、
前記検出された傾きの極性を検出して、該極性の連続性を判定する極性連続判定ステップと、
前記検出された傾きの絶対値を検出して、該絶対値が予め設定された前記第１の閾値より大きい連続性を判定する絶対値連続判定ステップと、
前記絶対値と、前記第１の閾値より大きい第２の閾値とを比較する第２の絶対値判定ステップと、を含み、
前記極性が連続し、且つ前記第１の閾値より大きく、前記第２の閾値より小さい前記絶対値が連続する期間を検出し、該検出された期間の長さにより前記入力信号の傾きの連続性を判定する、
ことを特徴とする輪郭補正方法。
【請求項４】
請求項２または請求項３に記載の輪郭補正方法において、
前記輪郭補正ステップは、
前記入力信号を遅延させた複数の遅延信号を切り換えて、前記入力信号の補正対象サンプル点に対して、前記傾き判定ステップの判定結果に応じた遅延量分前後に遅延させた遅延信号を出力する切換ステップと、
前記切換ステップから出力される各遅延信号にゲインをかけ、前記入力信号の補正対象サンプル点に加算する演算ステップと、を含む、
ことを特徴とする輪郭補正方法。
【請求項５】
請求項１に記載の輪郭補正方法において、
前記輪郭補正ステップは、
それぞれ微分係数の異なる１次微分回路が複数設けられた第１、第２の１次微分回路内で回路を切り換えて、該切り換えた回路から前記傾き判定ステップの判定結果に応じた微分係数で微分された信号を出力する切換ステップと、
前記切換ステップにおいて切り換えられた前記第２の１次微分回路群中の回路より出力される補正信号を、前記入力信号の補正対象サンプル点から減算する演算ステップと、を含む、
ことを特徴とする輪郭補正方法。
【請求項６】
請求項１に記載の輪郭補正方法において、
前記輪郭補正ステップは、前記入力信号の予め指定された範囲の輪郭補正を停止することを示す補正停止信号を生成する補正停止信号生成ステップを含み、
該補正停止信号が出力される期間は、前記傾き判定ステップの判定結果にかかわらず、前記輪郭補正を停止する、
ことを特徴とする輪郭補正方法。
【請求項７】
請求項６に記載の輪郭補正方法において、
前記補正停止信号が出力される期間は、前記入力信号の帰線期間である、
ことを特徴とする輪郭補正方法。
【請求項８】
請求項６に記載の輪郭補正方法において、
前記補正停止信号が出力される期間は、前記入力信号のオンスクリーンディスプレイ表示された期間である、
ことを特徴とする輪郭補正方法。
【請求項９】
請求項１に記載の輪郭補正方法において、
前記輪郭補正ステップは、前記傾き判定ステップにおいて検出された期間より狭い期間に対して、前記傾き判定ステップの判定結果に基づいて、前記入力信号のサンプル点毎に輪郭補正を行う、
ことを特徴とする輪郭補正方法。
【請求項１０】
入力された信号から傾きを検出する傾き検出部と、
前記検出された傾きの連続性を判定するを傾き判定部と、
前記傾き判定部の判定結果に基づいて、前記入力信号のサンプル点毎に輪郭補正を行う輪郭補正部と、を備える、
ことを特徴とする輪郭補正装置。
【請求項１１】
請求項１０に記載の輪郭補正装置において、
前記傾き判定部は、
前記検出された傾きの極性を検出して、該極性の連続性を判定する極性連続判定部と、
前記検出された傾きの絶対値を検出して、該絶対値が予め設定された第１の閾値より大きい連続性を判定する絶対値連続判定部と、
前記極性が連続し、且つ前記第１の閾値より大きい前記絶対値が連続する期間を検出し、該検出された期間の長さにより前記入力信号の傾きの連続性を判定して該判定結果を出力する判定部と、を備える、
ことを特徴とする輪郭補正装置。
【請求項１２】
請求項１０に記載の輪郭補正装置において、
前記傾き判定部は、
前記検出された傾きの極性を検出して、該極性の連続性を判定する極性連続判定部と、
前記検出された傾きの絶対値を検出して、該絶対値が予め設定された第１の閾値より大きい連続性を判定する絶対値連続判定部と、
前記絶対値と、前記第１の閾値より大きい第２の閾値とを比較する第２の絶対値判定部と、
前記極性が連続し、且つ前記第１の閾値より大きく、前記第２の閾値より小さい前記絶対値が連続する期間を検出し、該検出された期間の長さにより前記入力信号の傾きの連続性を判定して該判定結果を出力する判定部と、を備える、
ことを特徴とする輪郭補正装置。
【請求項１３】
請求項１０に記載の輪郭補正装置において、
前記輪郭補正部は、前記入力信号を遅延させる複数の遅延素子群と、
該遅延素子群から、前記傾き判定部の判定結果に応じた遅延量を、前記入力信号の補正対象サンプル点から前に遅延させた遅延信号を出力する第１の切換部と、
該遅延素子群から、前記傾き判定部の判定結果に応じた遅延量を、前記入力信号の補正対象サンプル点から後に遅延させた遅延信号を出力する第２の切換部と、
前記第１、第２の切換部から出力される各遅延信号にゲインをかけ、前記入力信号の補正対象サンプル点に加算する演算部と、を備える、
ことを特徴とする輪郭補正装置。
【請求項１４】
請求項１０に記載の輪郭補正装置において、
前記輪郭補正部は、それぞれ微分係数の異なる１次微分回路が複数設けられた第１、第２の１次微分回路群と、
該第１、第２の１次微分回路群から、前記傾き判定部の判定結果に応じた微分係数で微分する１次微分回路を切り換える切換部と、
前記切換部においてから切り換えられた前記第２の１次微分回路群中の回路より出力される補正信号を、前記入力信号の補正対象サンプル点から減算する演算部と、を備える、
ことを特徴とする輪郭補正装置。
【請求項１５】
請求項１１または請求項１２に記載の輪郭補正装置において、
前記傾き判定部は、前記入力信号の予め指定された範囲の輪郭補正を停止させる補正停止信号を発生する補正停止信号発生部を備え、
前記判定部は、前記補正停止信号の立ち下がりを検出したとき、前記判定結果にかかわらず、該補正停止信号に応じた判定結果を出力する、
ことを特徴とする輪郭補正装置。
【請求項１６】
請求項１５に記載の輪郭補正装置において、
前記補正停止信号が立ち下がる期間は、前記入力信号の帰線期間である、
ことを特徴とする輪郭補正装置。
【請求項１７】
請求項１５に記載の輪郭補正装置において、
前記補正停止信号が立ち下がる期間は、オンスクリーンディスプレイ表示がされる期間である、
ことを特徴とする輪郭補正装置。
【請求項１８】
請求項１０に記載の輪郭補正装置において、
前記輪郭補正部は、前記傾き判定部において検出された期間より狭い期間に対して、前記傾き判定部の判定結果に基づいて、前記入力信号のサンプル点毎に輪郭補正を行う、
ことを特徴とする輪郭補正装置。
【請求項１９】
請求項１０に記載の輪郭補正装置と、
前記輪郭補正装置にて補正された入力信号を表示するディスプレイと、を備える、
ことを特徴とする画像表示装置。
【発明の詳細な説明】
【技術分野】
【０００１】
本発明は映像信号の輪郭部を補正し、画質を向上させる映像信号の輪郭補正方法、輪郭補正装置、及びその輪郭補正装置を用いた画像表示装置に関するものである。
【背景技術】
【０００２】
近年、テレビジョン受像機や液晶ディスプレイやプラズマディスプレイなどの画像表示装置において、映像信号の高画質化に伴い、輪郭部を強調することにより鮮鋭度を上げることが重要視され、さらに、該画像表示装置に入力される映像信号の種類の増加（例えば、文字放送や、デジタル放送、アナログ放送、またパソコンからの映像データなど）に伴い、鮮鋭度を上げる周波数を、該画像表示装置に入力される映像信号に応じて最適化することも重要視されてきている。
【０００３】
従来の輪郭補正装置は、例えば特許文献１に記載されているように、輪郭強調の対象にされている映像信号における水平同期周波数の周波数範囲を予め定めた複数個の周波数領域に分割し、前記分割によって得た各周波数領域毎にそれぞれ個別に設定された水平輪郭強調周波数（特許文献１の表１参照）により、輪郭強調の対象とされている映像信号について水平輪郭強調を行うことができるように構成されている。
【０００４】
以下、図１７及び図１８を用いて、従来の輪郭補正装置について説明する。図１７は、従来の輪郭補正装置の構成を示す図である。
図１７において、９００は輪郭強調の対象にされている映像信号Ｓ９００の入力端子、９１８は輪郭強調が施された映像信号Ｓ９１４の出力端子である。９１５はそれぞれ輪郭強調の対象にされている異なる水平走査標準を有する信号に対して水平輪郭強調を行う際、それぞれ必要とされる予め定められたそれぞれ異なる時間長だけ遅延させることができるような遅延素子９０１、９０２、９０３、９０４を備えている遅延素子群であり、９１６はそれぞれ輪郭強調の対象にされている異なる水平走査標準を有する信号に対して水平輪郭強調を行う際、それぞれ必要とされる予め定められたそれぞれ異なる時間長だけ遅延させることができるような遅延素子９０６、９０７、９０８、９０９を備えている遅延素子群である。
【０００５】
そして９０５、９１０は前記遅延素子群９１５を構成している各遅延素子９０１〜９０４、及び前記遅延素子群９１６を構成している各遅延素子９０６〜９０９からの信号を、輪郭強調の対象にされている映像信号の水平同期周波数の周波数範囲を、切換信号発生部９１７からの信号Ｓ９１７に基づいて、予め定めた複数個の周波数領域に分割して得た各周波数領域毎にそれぞれ個別に設定された遅延素子を選択するものであり、９１１、９１２、９１３は入力された信号に所定のゲインをかけて出力する係数器であり、９１４は入力信号Ｓ９００に負の１／２倍のゲインをかけた信号Ｓ９１１と、前記スイッチ９０５において選択された出力Ｓ９０５に２倍のゲインをかけた信号Ｓ９１２と、スイッチ９１０において選択された出力Ｓ９１０に負の１／２倍のゲインをかけた信号Ｓ９１３とを加算する加算器である。
【０００６】
次に、図１８を用いて、以上のように構成された輪郭補正装置の動作について説明する。
図１８は、従来の輪郭補正装置において、水平同期信号内の映像信号に輪郭部として複数の傾きを持った信号が入力された場合の各構成要素から出力される信号波形図である。
なお、ここでは、水平同期周波数が１５．７ｋＨｚで、３種類の傾きの輪郭を持った映像信号Ｓ９００が入力端子９００に入力されているものとして説明する。
【０００７】
前記切換信号発生部９１７では、入力信号Ｓ９００の水平周波数より遅延時間量を７１ナノ秒と判定し、遅延時間が７１ナノ秒となるようにスイッチ９０５、９１０にて遅延素子群９１５，９１６からの信号を選択する。これにより、入力された映像信号Ｓ９００は、遅延素子群９１５，９１６において、それぞれ７１ナノ秒遅延される。
【０００８】
そしてこの後、前記スイッチ９０５の出力信号Ｓ９０５はゲインを２倍に、入力信号Ｓ９００とスイッチ９１０の出力信号Ｓ９１０はゲインを−１／２倍されて加算器９１４で合成され、出力端子９１８から輪郭強調が施された映像信号Ｓ９１４が出力される。
【特許文献１】特開平７−２２６８６４号公報
【発明の開示】
【発明が解決しようとする課題】
【０００９】
しかしながら、前述したように、従来の輪郭補正装置は、輪郭強調の対象にされている映像信号Ｓ９００の水平同期周波数の周波数範囲を、予め定めた複数個の周波数領域に分割し、該分割された各周波数領域毎にそれぞれ個別に設定された水平輪郭強調周波数に基づいて、前記輪郭補強対象である映像信号Ｓ９００に対して水平輪郭強調処理が行われるものであるため、該映像信号Ｓ９００の輪郭部の傾きに関係なく、常に一定の遅延時間で輪郭補正がされるものであった。そしてこの輪郭補正によっては、図１８のＳ９１４に示されるように、映像信号Ｓ９００の輪郭部に縁取りはつけることができるが（例えば、図１８のＳ９１４のＡ，Ｂ期間の開始、終了時点）、映像信号Ｓ９００の輪郭部の傾きによっては、該輪部の変化する傾きを直線的に立てることができなかった（例えば図１８のＳ９１４のＢ期間）。
【００１０】
また、画像表示装置に入力される映像信号Ｓ９００が、パソコンなどからの映像データや、文字放送などの字幕や画像、さらにはリモコンでメニュー画面を表示した際の映像信号である場合は、該映像信号Ｓ９００はもともと急峻な変化点を持っているため、このような映像信号Ｓ９００を従来の輪郭補正装置で、予め定めた固定的な遅延時間で輪郭補正を行うと、かえって画質を劣化させてしまうという問題点があった（図１８のＳ９１４のＣ期間）。
【００１１】
本発明は前記問題点を解決するためになされたものであり、入力された信号のサンプル点ごとに輪郭部の傾き及びその傾きの急峻さを検出判定して、該入力された映像信号の輪郭部の傾きに応じた輪郭補正を行える輪郭補正方法、輪郭補正装置、及びその輪郭補正装置を用いた画像表示装置を提供することを目的とする。
【課題を解決するための手段】
【００１２】
前記課題を解決するために、本発明の輪郭補正方法は、入力された信号から該信号の傾きを検出する傾き検出ステップと、前記検出された傾きの連続性を判定する傾き判定ステップと、前記傾き判定ステップの判定結果に基づいて、前記入力信号のサンプル点毎に輪郭補正を行う輪郭補正ステップと、を含むものである。
【００１３】
これにより、入力信号のサンプル点ごとの傾きに応じた輪郭補正を行える。
【００１４】
また、本発明の輪郭補正方法は、前記傾き判定ステップが、前記検出された傾きの極性を検出して、該極性の連続性を判定する極性連続判定ステップと、前記検出された傾きの絶対値を検出して、該絶対値が予め設定された第１の閾値より大きい連続性を判定する絶対値連続判定ステップとを含み、前記極性が連続する期間で、且つ前記第１の閾値より大きい前記絶対値が連続する期間を検出し、該検出された期間の長さにより前記入力信号の傾きの連続性を判定するものである。
【００１５】
これにより、従来のように入力信号に応じて予め定められた固定的な値で輪郭補正を行うのではなく、入力された信号の傾きを判定し、該傾きに応じた値を用いて、該入力信号の輪郭補正処理を行うことが可能となる。
【００１６】
また、本発明の輪郭補正方法は、前記傾き判定ステップが、前記検出された傾きの極性を検出して、該極性の連続性を判定する極性連続判定ステップと、前記検出された傾きの絶対値を検出して、該絶対値が予め設定された前記第１の閾値より大きい連続性を判定する絶対値連続判定ステップと、前記絶対値と、前記第１の閾値より大きい第２の閾値とを比較する第２の絶対値判定ステップと、を含み、前記極性が連続し、且つ前記第１の閾値より大きく、前記第２の閾値より小さい前記絶対値が連続する期間を検出し、該検出された期間の長さにより前記入力信号の傾きの連続性を判定するものである。
【００１７】
これにより、従来のように入力信号に応じて予め定められた固定的な値で輪郭補正を行うのではなく、入力された信号の傾きを判定し、該傾きに応じた値を用いて、該入力信号の輪郭補正処理を行うことが可能となるのに加え、前記入力信号の傾きの極性が連続している間に傾き量が急峻に変化した場合にも、輪郭補正を行うことを停止することが可能となり、輪郭補正を行うことにより生じる画質劣化をより確実に防ぐことができる。
【００１８】
また、本発明の輪郭補正方法は、前記輪郭補正ステップが、前記入力信号を遅延させた複数の遅延信号を切り換えて、前記入力信号の補正対象サンプル点に対して、前記傾き判定ステップの判定結果に応じた遅延量分前後に遅延させた遅延信号を出力する切換ステップと、前記切換ステップから出力される各遅延信号にゲインをかけ、前記入力信号の補正対象サンプル点に加算する演算ステップと、を含むものである。
【００１９】
これにより、従来のように入力信号に応じて予め定められた固定的な遅延時間で輪郭補正を行うのではなく、入力された信号の傾きを判定し、該傾きに応じた遅延量だけ遅延された遅延信号を用いて、該入力信号の輪郭補正処理を行うことが可能となる。
【００２０】
また、本発明の輪郭補正方法は、前記輪郭補正ステップが、それぞれ微分係数の異なる１次微分回路が複数設けられた第１、第２の１次微分回路内で回路を切り換えて、該切り換えた回路から前記傾き判定ステップの判定結果に応じた微分係数で微分された信号を出力する切換ステップと、前記切換ステップにおいてから切り換えられた前記第２の１次微分回路群中の回路より出力される補正信号を、前記入力信号の補正対象サンプル点から減算する演算ステップと、を含むものである。
【００２１】
これにより、従来のように入力される信号毎に予め定められた固定の微分回路で微分された補正信号を用いて前記入力信号の輪郭補正を行うのではなく、該入力信号の傾きに応じて選択された最も効果を発揮する微分回路を選択して、該選択された微分回路にて微分された補正信号を用いて前記入力信号の輪郭補正を行うことができる。
【００２２】
また、本発明の輪郭補正方法は、前記輪郭補正ステップが、前記入力信号の予め指定された範囲の輪郭補正を停止することを示す補正停止信号を生成する補正停止信号生成ステップを含み、該補正停止信号が出力される期間は、前記傾き判定ステップの判定結果にかかわらず、前記輪郭補正を停止するものである。
【００２３】
これにより、入力信号の任意の範囲で、輪郭補正処理を行わないようにすることができ、必要な信号を輪郭補正処理によって劣化させることなく得ることができる。
さらに、本発明の輪郭補正方法は、前記補正停止信号が出力される期間が、前記入力信号の帰線期間であるものである。
【００２４】
これにより、前記入力信号の帰線期間に入力される同期信号情報を、劣化させることなくそのまま出力することができる。
【００２５】
さらに、本発明の輪郭補正方法は、前記補正停止信号が出力される期間が、前記入力信号のオンスクリーンディスプレイ表示された期間であるものである。
【００２６】
これにより、前記入力信号に含まれる、文字放送やメニュー表示などのオンスクリーン信号の表示情報を劣化させることなくそのまま出力することができる。
【００２７】
また、本発明の輪郭補正方法は、前記輪郭補正ステップが、前記傾き判定ステップにおいて検出された期間より狭い期間に対して、前記傾き判定ステップの判定結果に基づいて、前記入力信号のサンプル点毎に輪郭補正を行うものである。
【００２８】
これにより、輪郭補正処理がなされた信号の、傾きの開始位置と終了位置とに生じるシュート成分をなくして、該入力信号の傾きを急峻にすることができる。
【００２９】
本発明の輪郭補正装置は、入力された信号から傾きを検出する傾き検出部と、前記検出された傾きの連続性を判定するを傾き判定部と、前記傾き判定部の判定結果に基づいて、前記入力信号のサンプル点毎に輪郭補正を行う輪郭補正部と、を備えるものである。
【００３０】
これにより、入力信号のサンプル点ごとの傾きに応じた輪郭補正を行える輪郭補正装置を提供できる。
【００３１】
また、本発明の輪郭補正装置は、前記傾き判定部が、前記検出された傾きの極性を検出して、該極性の連続性を判定する極性連続判定部と、前記検出された傾きの絶対値を検出して、該絶対値が予め設定された第１の閾値より大きい連続性を判定する絶対値連続判定部と、前記極性が連続し、且つ前記第１の閾値より大きい前記絶対値が連続する期間を検出し、該検出された期間の長さにより前記入力信号の傾きの連続性を判定して該判定結果を出力する判定部と、を備えるものである。
【００３２】
これにより、従来のように入力信号に応じて予め定められた固定的な値で輪郭補正を行うのではなく、入力された信号の傾きを判定し、該傾きに応じた値を用いて、該入力信号の輪郭補正処理を行うことを実現できる、。
【００３３】
また、本発明の輪郭補正装置は、前記傾き判定部が、前記検出された傾きの極性を検出して、該極性の連続性を判定する極性連続判定部と、前記検出された傾きの絶対値を検出して、該絶対値が予め設定された第１の閾値より大きい連続性を判定する絶対値連続判定部と、前記絶対値と、前記第１の閾値より大きい第２の閾値とを比較する第２の絶対値判定部と、前記極性が連続し、且つ前記第１の閾値より大きく、前記第２の閾値より小さい前記絶対値が連続する期間を検出し、該検出された期間の長さにより前記入力信号の傾きの連続性を判定して該判定結果を出力する判定部と、を備えるものである。
【００３４】
これにより、従来のように入力信号に応じて予め定められた固定的な値で輪郭補正を行うのではなく、入力された信号の傾きを判定し、該傾きに応じた値を用いて、該入力信号の輪郭補正処理を行うことが実現でき、さらに、前記入力信号の傾きの極性が連続している間に傾き量が急峻に変化した場合にも、輪郭補正を行うことを停止することが可能となり、輪郭補正を行うことにより生じる画質劣化をより確実に防ぐことができる。
【００３５】
また、本発明の輪郭補正装置は、前記輪郭補正部が、前記入力信号を遅延させる複数の遅延素子群と、該遅延素子群から、前記傾き判定部の判定結果に応じた遅延量を、前記入力信号の補正対象サンプル点から前に遅延させた遅延信号を出力する第１の切換部と、該遅延素子群から、前記傾き判定部の判定結果に応じた遅延量を、前記入力信号の補正対象サンプル点から後に遅延させた遅延信号を出力する第２の切換部と、前記第１、第２の切換部から出力される各遅延信号にゲインをかけ、前記入力信号の補正対象サンプル点に加算する演算部と、を備えるものである。
【００３６】
これにより、従来のように入力信号に応じて予め定められた固定的な遅延時間で輪郭補正を行うのではなく、入力された信号の傾きを判定し、該傾きに応じた遅延量だけ遅延された遅延信号を用いて、該入力信号の輪郭補正処理を行うことが実現できる。
【００３７】
また、本発明の輪郭補正装置は、前記輪郭補正部が、それぞれ微分係数の異なる１次微分回路が複数設けられた第１、第２の１次微分回路群と、該第１、第２の１次微分回路群から、前記傾き判定部の判定結果に応じた微分係数で微分する１次微分回路を切り換える切換部と、前記切換部においてから切り換えられた前記第２の１次微分回路群中の回路より出力される補正信号を、前記入力信号の補正対象サンプル点から減算する演算部と、を備えるものである。
【００３８】
これにより、従来のように入力される信号毎に予め定められた固定の微分回路で微分された補正信号を用いて前記入力信号の輪郭補正を行うのではなく、該入力信号の傾きに応じて選択された最も効果を発揮する微分回路を選択して、該選択された微分回路にて微分された補正信号を用いて前記入力信号の輪郭補正を行うことが実現できる。
【００３９】
さらに、本発明の輪郭補正装置は、前記傾き判定部は、前記入力信号の予め指定された範囲の輪郭補正を停止させる補正停止信号を発生する補正停止信号発生部を備え、前記判定部は、前記補正停止信号の立ち下がりを検出したとき、前記判定結果にかかわらず、該補正停止信号に応じた判定結果を出力するものである。
【００４０】
これにより、入力信号の任意の範囲で、輪郭補正処理を行わないようにすることを実現でき、必要な信号を輪郭補正処理によって劣化させることなく得ることができる。
【００４１】
加えて、本発明の輪郭補正装置は、前記補正停止信号が立ち下がる期間は、前記入力信号の帰線期間であるものである。
【００４２】
これにより、前記入力信号の帰線期間に入力される同期信号情報を、劣化させることなくそのまま出力することができる。
【００４３】
加えて、本発明の輪郭補正装置は、前記補正停止信号が立ち下がる期間は、オンスクリーンディスプレイ表示がされる期間であるものである。
【００４４】
これにより、前記入力信号に含まれる、文字放送やメニュー表示などのオンスクリーン信号の表示情報を劣化させることなくそのまま出力することができる。
また、本発明の輪郭補正装置は、前記輪郭補正部は、前記傾き判定部において検出された期間より狭い期間に対して、前記傾き判定部の判定結果に基づいて、前記入力信号のサンプル点毎に輪郭補正を行うものである。
これにより、輪郭補正処理がなされた信号の、傾きの開始位置と終了位置とに生じるシュート成分をなくして、該入力信号の傾きを急峻にすることができる。
【００４５】
本発明の画像表示装置は、請求項１０に記載の輪郭補正装置と、前記輪郭補正装置にて補正された入力信号を表示するディスプレイと、を備えるものである。
これにより、入力信号のサンプル点ごとの傾きに応じた輪郭補正処理をした映像信号を表示できる画像表示装置が提供できる。
【発明の効果】
【００４６】
本発明の輪郭補正方法及び装置によれば、入力された信号のサンプル点ごとに、傾きの極性、及びその急峻さを検出して、該傾きの連続性を判定し、該判定結果に基づいて輪郭補正を行ようにしたので、入力された信号の傾きに応じて、該入力信号の輪郭補正を行うことができる。
【００４７】
また、本発明によれば、入力された信号の傾き量を検出して、該傾き量に応じた傾き判定信号を出力する傾き検出判定回路を設け、該傾き判定信号により選択された、処理対象となるサンプル点の前後の遅延信号を用いて、輪郭補正後の映像信号を生成するようにしたので、前記入力された信号の輪郭補正を行う際に、該入力信号毎に予め定められた固定的な遅延量で輪郭補正を行うのではなく、該入力信号の傾きに応じて選択された最も効果を発揮する遅延量で輪郭補正を行うことができる。
【００４８】
また、本発明によれば、傾き判定部において、入力された信号の傾き量の極性の連続性と、該傾き量の絶対値が予め設定された第１の閾値より大きい連続性とを検出して、該傾き量の極性、及び該第１の閾値より大きい値の絶対値が連続する期間のみ輪郭補正を行い、それ以外の期間は輪郭補正を行わないようにしたので、前記入力信号が、例えば、パソコンなどからの映像データや、文字放送などの字幕や画像等のような、もともと急峻な変化点を持つ信号の場合には、輪郭補正を行わないようにすることができ、これにより、輪郭補正を行うことによって生じる画質の劣化を防止することができる。
【００４９】
また、本発明によれば、入力された信号の傾き量を検出して、該傾き量に応じた傾き判定信号を出力する傾き検出判定回路を設け、該入力信号の傾きの極性が同じで、且つ該絶対値が第１の閾値より大きく、第２の閾値より小さい値である連続性を検出して、該連続性に応じた傾き判定信号を出力し、該傾き判定信号により選択された、処理対象となるサンプル点の前後の遅延信号を用いて、輪郭補正処理後の信号を生成するようにしたので、前記入力信号の傾きが同じ極性である状態が連続している間に、該信号の傾きが急峻になった場合にも、該信号の輪郭補正を停止することが可能となり、輪郭補正を行うことによって生じる画質劣化をより確実に防ぐことができる。
【００５０】
さらに、本発明によれば、入力された信号の予め指定された範囲の輪郭補正を停止させる補正停止信号を生成する補正停止信号発生部を設け、該補正停止信号が示す所定期間は、輪郭補正処理が停止されるようにしたので、該入力信号の前記所定期間に含まれる信号の情報を、劣化させることなくそのまま出力することができる。この輪郭補正が停止される期間の一例としては、入力信号の帰線期間、上下黒帯のシネマ信号が入力されている期間、あるいは文字放送やメニュー表示などのオンスクリーン信号が表示されている期間等が挙げられる。
【００５１】
また、本発明によれば、入力された信号の傾きが検出された範囲より狭い範囲のサンプル点に対してのみ、前記傾き判定信号により選択された遅延量を遅延させるようにしたので、輪郭補正をする際、輪郭補正処理後の信号の、傾きの開始位置と終了位置とに生じるシュート成分をなくして、該信号の傾きを急峻にすることができる。
【００５２】
また、本発明によれば、入力された信号の傾き量を検出して、該傾き量に応じた傾き判定信号を出力する傾き検出判定回路を設け、該傾き判定信号に応じて第１，第２の１次微分回路切換部中の微分回路を切り換えるようにしたので、前記入力された信号の輪郭補正を行う際に、該入力信号毎に予め定められた固定の微分回路で微分された補正信号を用いて前記入力信号の輪郭補正を行うのではなく、該入力信号の傾きに応じて選択された最も効果を発揮する微分回路を選択して、該選択された微分回路にて微分された補正信号を用いて入力信号の輪郭補正を行うことができる。
【発明を実施するための最良の形態】
【００５３】
以下、本発明の実施形態について、図面を参照しながら説明する。
（実施の形態１）
以下、図１〜図８を用いて、本実施の形態１における輪郭補正装置について説明する。
本実施の形態１においては、入力される映像信号Ｓ１００の傾きを判定し、その判定結果に応じた遅延量を選択して輪郭補正を行うようにしたものである。
【００５４】
まず、図１及び図２を用いて、本実施の形態１における輪郭補正装置の構成について説明する。図１は、本実施の形態１における輪郭補正装置の構成を示すブロック図であり、図２は、本実施の形態１の輪郭補正装置における、傾き検出判定部の詳細な構成の一例を示す図である。
【００５５】
図１において、１００は輪郭強調の対象にされている映像信号Ｓ１００の入力端子であり、１１８は輪郭強調が施された映像信号Ｓ１１６の出力端子である。１０１、１０２、１０３、１０４、１０５、１０６、１０７、１０８はそれぞれ前記入力信号Ｓ１００を遅延させる遅延素子であって、ここではそれぞれが入力信号をサンプリング単位時間（以下「１Ｔ」とする。）で遅延させるフリップフロップである。１１７は入力された映像信号Ｓ１００の傾き量を検出し、該傾き量に応じた判定結果である傾き判定信号Ｓ１１０を出力する傾き検出判定部である。そして、１１１、１１２は、前記傾き検出判定部１１７からの傾き判定信号Ｓ１１０に応じて出力を切り換える第１，第２の切換部であり、１１３、１１５は入力された信号に−１／２倍のゲインをかける係数器であり、１１４は入力された信号に２倍のゲインをかける係数器である。１１６は前記係数器１１３、１１４、１１５からの出力を加算する加算器である。
【００５６】
前記傾き検出判定部１１７は、映像信号Ｓ１００の傾き量を検出する傾き検出部１０９と、該傾き量を判定して遅延量を選択する前記傾き判定部１１０とで構成されており、前記傾き検出部１０９は、前記映像信号Ｓ１００を１Ｔ遅延させる遅延素子であるフリップフロップ２０１と、該フリップフロップ２０１からの信号と映像信号Ｓ１００との差分をとる差分回路２０２とからなるものである。
【００５７】
そして、前記傾き判定回路１１０は、前記傾き検出部１０９からの出力の極性を検出する極性検出部２０３と、該極性検出部２０３にて検出された極性の連続性を判定する極性連続判定部２０４と、前記傾き検出部１０９からの出力の絶対値を検出する絶対値検出部２０５と、該絶対値検出部２０５にて検出された絶対値が予め設定された閾値Ａより大きい値である連続性を判定する絶対値連続判定部２０６と、前記極性連続判定部２０４からの出力、前記絶対値連続判定部２０６からの出力、及び補正停止信号発生部２０９からの出力に基づいて、第１，第２の切換部１１１，１１２に対して、前記映像信号Ｓ１００の傾きに応じた傾き判定信号Ｓ１１０を出力する判定部２０８とからなるものである。
【００５８】
次に、以上のように構成された輪郭補正装置の動作を、図３〜図５を参照しながら説明する。図３は本実施の形態１にかかる輪郭補正装置の一連の動作を示すフローチャートであり、図４は本実施の形態１にかかる輪郭補正装置の各部より出力される信号波形の一例を示す図であり、図５は本実施の形態１の輪郭補正装置における傾き検出判定部の各部より出力される信号波形の一例を示す図である。なお、ここでは、外部より入力映像信号Ｓ１００として、図４に示すような、一水平期間内に複数の傾きを持った信号が入力された場合を例に挙げて説明する。
【００５９】
まず、図４に示すような映像信号Ｓ１００が入力端子１００に入力されると（ステップｓ１）、映像信号Ｓ１００は、フリップフロップ１０１〜１０８に順に入力されていくと共に、傾き検出判定部１１７に入力される。
【００６０】
そして、前記各フリップフロップ１０１〜１０８からは、前記映像信号Ｓ１００が１Ｔずつ遅延された遅延信号Ｓ１０１〜Ｓ１０８が出力される。例えば、図４の遅延信号Ｓ１０４は、フリップフロップ１０４から出力された遅延信号であり、映像信号Ｓ１００を４Ｔ遅延させた信号である。そして、前記各フリップフロップからの遅延信号Ｓ１０１〜Ｓ１０８のうち、信号Ｓ１００、Ｓ１０１、Ｓ１０２、Ｓ１０３、Ｓ１０４は第１の切換部１１１へ入力され、信号Ｓ１０４、Ｓ１０５、Ｓ１０６、Ｓ１０７、Ｓ１０８は第２の切換部１１２へ入力される。
【００６１】
一方、傾き検出判定部１１７に入力された映像信号Ｓ１００は、該傾き検出判定部１１７において映像信号Ｓ１００の傾き量を検出し、該映像信号Ｓ１００の傾きに応じた傾き判定信号Ｓ１１０を、第１，第２の切換部１１１，１１２に出力する（図４のＳ１１０参照）。
【００６２】
ここで、前記傾き判定信号Ｓ１１０の生成について、図５を参照しながら説明する。
まず、傾き検出判定部１１７に入力された映像信号Ｓ１００は傾き検出部１０９に入力され、フリップフロップ２０１で１Ｔ遅延された後、差分回路２０２において、該遅延された遅延信号Ｓ２０１と前記映像信号Ｓ１００との差分がとられる。これにより、１Ｔ遅延前後での映像信号Ｓ１００の差分値Ｓ１０９、つまり映像信号の傾き量が得られる（ステップｓ２）。
【００６３】
そして、前記傾き検出部１０９において検出された差分値Ｓ１０９は傾き判定部１１０に入力され、該傾き判定部１１０の極性検出部２０３において、前記差分値Ｓ１０９が正か負かの極性Ｓ２０３を検出し（ステップｓ３）、極性連続判定部２０４で同じ極性Ｓ２０３が連続しているかを検出する（ステップｓ４）。
【００６４】
一方、前記差分値Ｓ１０９は、傾き判定部１１０の絶対値検出部２０５において、前記差分値Ｓ１０９の絶対値Ｓ２０５が検出され（ステップｓ５）、絶対値連続判定部２０６で、予め設定された閾値Ａより大きい値の絶対値Ｓ２０５が連続しているかを判定する（ステップｓ６）。
【００６５】
さらに、補正停止信号発生部２０９においては、前記映像信号Ｓ１００の輪郭補正を、入力信号の指定範囲において停止させるための補正停止信号Ｓ２０９を生成する。この入力信号の輪郭補正を停止する期間としては、例えば映像信号の帰線期間が一例に挙げられる。
【００６６】
図６は、本実施の形態１の輪郭補正装置において、映像信号の帰線期間に輪郭補正を停止させる場合の、補正停止信号発生部の構成の一例を示す図であり、図６において、補正停止信号発生部２０９は、映像信号Ｓ１００から垂直同期パルスＳ２９１と水平同期パルスＳ２９２とを分離する同期分離回路２９１と、該垂直同期パルスＳ２９１より垂直イネーブルパルスＳ２９３を生成する垂直イネーブルパルス発生回路２９３と、前記水平同期パルスＳ２９２より水平イネーブルパルスＳ２９４を生成する水平イネーブルパルス発生回路２９４と、前記垂直イネーブルパルスＳ２９３と水平イネーブルパルスＳ２９４とを合成する、例えばＡＮＤ回路のような合成回路２９５とからなる。
【００６７】
そして、図７に示すように、同期分離回路２９１において、入力された映像信号Ｓ１００から、垂直同期パルスＳ２９１と水平同期パルスＳ２９２とに同期分離し（ステップｓ８）、垂直イネーブルパルス発生回路２９３及び水平イネーブルパルス発生回路２９４において、前記垂直同期パルスＳ２９１及び水平同期パルスＳ２９２からそれぞれ垂直イネーブルパルスＳ２９３及び水平イネーブルパルスＳ２９４を生成して合成回路２９５にて合成することで、補正停止信号Ｓ２０９を生成する（ステップｓ９）。
【００６８】
そして、前記判定部２０８において、例えば、入力される補正停止信号Ｓ２０９の立下りを検出し（ステップｓ１０）、該補正停止信号Ｓ２０９がＬｏｗである期間は、映像信号Ｓ１００に対して輪郭補正が行われないように、判定部２０８から傾き判定信号Ｓ１１０として“０”を出力する（ステップｓ１１）。
【００６９】
一方、判定部２０８において、前記補正停止信号Ｓ２０９がＨｉｇｈであり、また、前記極性連続判定部２０４において同じ極性Ｓ２０３が連続し、且つ絶対値連続判定部２０６において閾値Ａより大きい値の絶対値Ｓ２０５が連続していると判断された場合には、その連続する期間を検出し、該検出された期間に応じた傾き判定信号Ｓ１１０を出力する（ステップｓ７）。
【００７０】
例えば、図５に示すように、差分値Ｓ１０９の絶対値Ｓ２０５が閾値Ａより大きい値で、且つ同じ極性である状態が４サンプル点連続した場合（例えば、図４のＡ期間）には、第１，第２の切換回路１１１，１１２において、処理対象サンプル点からそれぞれ前後に２Ｔ分遅延した信号が選択されるように、傾き判定信号Ｓ１１０として“２”を出力し、一方、差分値Ｓ１０９の絶対値Ｓ２０５が閾値Ａより大きい値で、且つ同じ極性である状態が８サンプル点連続した場合（例えば、図４のＢ期間）には、前記第１，第２の切換回路１１１，１１２において、処理対象サンプル点からそれぞれ前後に４Ｔ分遅延した遅延信号が選択されるように、傾き判定信号Ｓ１１０として“４”を出力するようにする。
【００７１】
さらに、前記補正停止信号Ｓ２０９がＨｉｇｈ期間であっても、前記極性連続判定部２０４において同じ極性Ｓ２０３が連続しない場合、あるいは絶対値連続判定部２０６において閾値Ａより大きい値の絶対値Ｓ２０５が連続しない場合（例えば、図４のＣ期間）には、第１，第２の切換回路１１１，１１２において、処理対象サンプル点からそれぞれ前後に０Ｔ分遅延した信号が選択されるように、傾き判定信号Ｓ１１０として“０”を出力する（ステップｓ１１）。
【００７２】
以上のようにして得られた傾き判定信号Ｓ１１０は、前記第１，第２の切換部１１１，１１２に出力され、該各切換部１１１，１１２では、該傾き判定信号Ｓ１１０に応じて、入力される遅延信号を切換えて、それぞれ映像信号Ｓ１１１、Ｓ１１２を出力する（ステップｓ１２）。
【００７３】
例えば、傾き判定信号Ｓ１１０として“２”が出力されると、前記第１の切換部１１１は遅延信号Ｓ１０２を、前記第２の切換部１１２は遅延信号Ｓ１０６を選択し、また、傾き判定信号Ｓ１１０として“４”が出力されると、前記第１の切換部１１１は映像信号Ｓ１００を、前記第２の切換部１１２は遅延信号Ｓ１０８を選択し、さらに、傾き判定信号Ｓ１１０として“０”が出力されると、前記第１，第２の切換部１１１は共に遅延信号Ｓ１０４を選択する。
【００７４】
そしてこの後、第１，第２の切換部１１１，１１２から出力された映像信号Ｓ１１１，Ｓ１１２は係数器１１３、１１５で−１／２倍され、また、補正対象の映像信号である遅延信号Ｓ１０４は係数器１１４で２倍された後、加算器１１６で加算され（ステップｓ１３）、出力端子１１８より輪郭強調が施された映像信号Ｓ１１６として出力される。
【００７５】
このようにすれば、従来のように入力映像信号に応じて予め定められた固定的な遅延時間で輪郭補正を行うのではなく、入力された映像信号Ｓ１００の傾きを判定し、該傾きに応じた遅延量だけ遅延された遅延信号を用いて、映像信号の輪郭補正処理を行うことが可能となる。
【００７６】
以上のように、本実施の形態１によれば、入力された映像信号Ｓ１００の傾き量を検出して、該傾き量に応じた傾き判定信号Ｓ１１０を出力する傾き検出判定回路１１７を設け、該傾き判定信号Ｓ１１０により選択された、処理対象となるサンプル点の前後の遅延信号Ｓ１１１，Ｓ１１２を用いて、輪郭補正後の映像信号Ｓ１１６を生成するようにしたので、前記入力された映像信号Ｓ１００の輪郭補正を行う際に、該映像信号毎に予め定められた固定的な遅延量で輪郭補正を行うのではなく、該映像信号Ｓ１００の傾きに応じて選択された、最も効果を発揮する遅延量で輪郭補正を行うことができる。
【００７７】
また、本実施の形態１によれば、傾き判定部１１０において、映像信号Ｓ１００の傾き量の極性の連続性と、該傾き量の絶対値が予め設定された閾値Ａより大きい値である連続性とを検出して、該傾き量の極性、及び閾値Ａより大きい値の絶対値が連続する期間のみ輪郭補正を行い、それ以外の期間は輪郭補正を行わないようにしたので、映像信号Ｓ１００が、例えば、パソコンなどからの映像データや、文字放送などの字幕や画像等のような、もともと急峻な変化点を持つ信号の場合には、輪郭補正を行わないようにすることができ、これにより、輪郭補正により生じる画質の劣化を防止することができる。
【００７８】
さらに、本実施の形態１によれば、入力される映像信号Ｓ１００の予め指定された範囲の輪郭補正処理を停止させる補正停止信号Ｓ２０９を生成する補正停止信号発生部２０９を設け、該映像信号Ｓ１００の所定期間、例えば、映像信号の帰線期間は、輪郭補正処理が停止されるようにしたので、帰線期間に入力される同期信号情報を、劣化させることなくそのまま出力することができる。
【００７９】
なお、本実施の形態１においては、差分値Ｓ１０９の絶対値Ｓ２０５が閾値Ａより大きく、且つ同じ極性である状態が４サンプル点連続した場合（例えば、図４のＡ期間）と、８サンプル点連続した場合（例えば、図４のＢ期間）とを例に挙げて説明したが、前記極性及び絶対値の連続期間と、傾き判定信号Ｓ１１０の出力値の組み合わせは任意である。また、ユーザーからの指示が判定部２０８に入力されるように構成し、前記連続期間と傾き判定信号Ｓ１１０の出力値との組み合わせをユーザーが選択可能なようにしてもよい。なお、前記連続期間と傾き判定信号Ｓ１１０の出力値との組み合わせとしては、閾値Ａより大きい差分値Ｓ１０９がＮサンプル点（ただしＮは、映像信号Ｓ１００を遅延させるフリップフロップ数以下の整数）連続して入力された時、第１，第２の切換部１１１，１１２にて選択される遅延信号の遅延量が、補正対象の映像信号に対してそれぞれＮ／２のサンプル差となるように選択すれば、映像信号の傾きに対する補正効果が大きくなり、望ましい。
【００８０】
さらに、本実施の形態１においては、フリップフロップを８つ設けた場合を例に挙げたが、フリップフロップの数はこれに限るものではなく、フリップフロップの数を増やせば、より緩やかな傾きを有する映像信号Ｓ１００に対して、その映像信号の傾きに応じた輪郭補正を施すことが可能となる。
【００８１】
また、本実施の形態１においては、補正停止信号発生部２０９にて生成される補正停止信号Ｓ２０９により輪郭補正が停止される期間の一例として、映像信号Ｓ１００の帰線期間を挙げたが、この輪郭補正停止期間は、上下黒帯のシネマ信号が入力されている期間であってもよいし、文字放送やメニュー表示などのオンスクリーン信号が表示されている期間であってもよい。
【００８２】
さらに、本実施の形態１においては、図４に示すように、傾き検出判定部１１７において、映像信号Ｓ１００の傾きが検出された範囲（例えば図４のＡ期間、Ｂ期間）のサンプル点の全てにおいて、該傾き量に応じた遅延量を遅延させて輪郭補正を行う場合について説明したが、映像信号Ｓ１００の傾きが検出された範囲より狭い範囲、例えば、図８に示すように、検出された範囲のサンプル点の両サイド１Ｔ分狭めた範囲（図８の信号Ｓ２０８のＨｉｇｈ期間）のサンプル点に対してのみ前記傾き判定信号Ｓ１１０により選択された遅延量を遅延させるようにしてもよい（図８のＡ’期間、Ｂ’期間参照）。このようにすれば、輪郭補正をする際、輪郭補正処理後の映像信号Ｓ１１６の、傾きの開始位置と終了位置とに生じるシュート成分をなくして、映像信号Ｓ１００の傾きを急峻にすることができる。またその他にも、傾き判定信号Ｓ１１０が“０”から“２”へ変化する際、前記傾き判定信号Ｓ１１０を“０”、“１”、“２”と順に変化させるようにしてもよい。このようにすれば、映像信号Ｓ１００の傾きの変化点において、傾きを滑らかに切り換えることが可能となる。
【００８３】
また、本実施の形態１においては、急峻な傾きの映像信号が入力された場合に遅延値を切り換えたが、係数器１１３、１１４、１１５のゲインを可変にして、補正対象となる遅延信号Ｓ１０４がそのまま輪郭補正処理後の出力信号Ｓ１１６となるように、係数器のゲインを換えるようにしてもよい。
【００８４】
（実施の形態２）
以下、図９〜図１２を用いて、本実施の形態２における輪郭補正装置について説明する。
上記実施の形態１では、映像信号Ｓ１００の傾きの極性が同じで、且つ該傾き量の絶対値が閾値Ａより大きい値である期間を検出し、該検出された連続期間に応じた遅延量を選択するものであったが、本実施の形態２は、傾き判定部に、前記閾値Ａより大きな値である第２の閾値Ｂと、前記映像信号の傾き量の絶対値とを比較する第２の絶対値判定部をさらに設け、急峻な傾きをもつ信号が入力された場合に確実に輪郭補正が行われないようにしたものである。
【００８５】
まず、図９を用いて、本実施の形態２における輪郭補正装置の構成について説明する。図９は、本実施の形態２の輪郭補正装置における、傾き検出判定部の詳細な構成の一例を示す図である。
【００８６】
本実施の形態２の輪郭補正装置の構成は、前記実施の形態１の構成とほぼ同じであるが、傾き検出判定部２１７内の傾き判定部２１０の構成が異なる。
【００８７】
具体的に述べると、本実施の形態２における傾き判定回路２１０は、前段の傾き検出部１０９からの出力される差分値Ｓ１０９の絶対値を、予め設定された前記第１の閾値Ａより大きい第２の閾値Ｂと比較する第２の絶対値判定部２０７を更に備えるものである。
【００８８】
そして、判定部２０８では、極性連続判定部２０４からの出力、絶対値連続判定部２０６からの出力、補正停止信号発生部２０９からの出力、及び前記第２の絶対値判定部２０７からの出力に基づいて、第１，第２の切換部１１１，１１２に対して、前記映像信号Ｓ１００の傾きに応じた遅延量を選択するものである。なお、そのほかの構成は前記実施の形態１の構成と同様であるため、ここでは説明を省略する。
【００８９】
次に、以上のように構成された輪郭補正装置の動作を、図１０〜図１２を参照しながら説明する。図１０は、本実施の形態２にかかる輪郭補正装置の一連の動作を示すフローチャートであり、図１１は、本実施の形態２にかかる輪郭補正装置の各部より出力される信号波形の一例を示す図であり、図１２は、本実施の形態２の輪郭補正装置における傾き検出判定部の各部より出力される信号波形の一例を示す図である。なお、ここでは、外部より入力映像信号Ｓ１００として、図１１に示すような、同じ極性が連続するが、該傾き量の絶対値が途中で極端に大きく変化する信号が入力された場合を例に挙げて説明する。
【００９０】
まず、図１１に示すような映像信号Ｓ１００が入力端子１００に入力されると（ステップｓ１）、映像信号Ｓ１００は、フリップフロップ１０１〜１０８に順に入力されていくと共に、傾き検出判定部２１７に入力される。
【００９１】
そして、前記各フリップフロップ１０１〜１０８からは、前記映像信号Ｓ１００が１Ｔずつ遅延された遅延信号Ｓ１０１〜Ｓ１０８が出力される。例えば、図１１の遅延信号Ｓ１０４は、フリップフロップ１０４から出力された遅延信号であり、映像信号Ｓ１００を４Ｔ遅延させた信号である。そして、前記各フリップフロップからの遅延信号Ｓ１０１〜Ｓ１０８のうち、信号Ｓ１００、Ｓ１０１、Ｓ１０２、Ｓ１０３、Ｓ１０４は第１の切換部１１１へ入力され、信号Ｓ１０４、Ｓ１０５、Ｓ１０６、Ｓ１０７、Ｓ１０８は第２の切換部１１２へ入力される。
【００９２】
一方、傾き検出判定部２１７に入力された映像信号Ｓ１００は、該傾き検出判定部２１７において映像信号Ｓ１００の傾き量を検出し、該映像信号Ｓ１００の傾きに応じた傾き判定信号Ｓ２１０を、第１，第２の切換部１１１，１１２に出力する（図１１のＳ２１０参照）。
【００９３】
ここで、前記傾き判定信号Ｓ２１０の生成について、図１２を参照しながら説明する。
まず、傾き検出判定回路２１７に入力された映像信号Ｓ１００は傾き検出部１０９に入力され、フリップフロップ２０１で１Ｔ遅延された後、差分回路２０２において、該遅延された遅延信号Ｓ２０１と前記映像信号Ｓ１００との差分がとられる。これにより、１Ｔ遅延前後での映像信号Ｓ１００の差分値Ｓ１０９、つまり映像信号の傾き量が得られる（ステップｓ２）。
【００９４】
そして、前記傾き検出部１０９において検出された差分値Ｓ１０９は傾き判定部２１０に入力され、該傾き判定部２１０の極性検出部２０３において、前記差分値Ｓ１０９が正か負かの極性Ｓ２０３を検出し（ステップｓ３）、極性連続判定部２０４で同じ極性Ｓ２０３が連続しているかを検出する（ステップｓ４）。
【００９５】
一方、前記差分値Ｓ１０９は、傾き判定部２１０の絶対値検出部２０５において、前記差分値Ｓ１０９の絶対値Ｓ２０５が検出され（ステップｓ５）、絶対値連続判定部２０６で、予め設定された第１の閾値Ａより大きい値の絶対値Ｓ２０５が連続しているかを判定する（ステップｓ６）。
【００９６】
そして、前記絶対値検出部２０５において検出された絶対値Ｓ２０５は、第２の絶対値判定部２０７にも出力され、該第２の絶対値判定部２０７において、前記第１の閾値Ａより大きな値である第２の閾値Ｂより小さいか否かが判定される（ステップｓ２１）。
【００９７】
さらに、補正停止信号発生部２０９においては、前記映像信号Ｓ１００の輪郭補正を、入力信号の指定範囲において停止させるための補正停止信号Ｓ２０９を生成する。
【００９８】
そして、前記判定部２０８において、例えば、前記補正停止信号Ｓ２０９の立下りを検出し（ステップｓ１０）、該補正停止信号Ｓ２０９がＬｏｗである期間は、映像信号Ｓ１００に対して輪郭補正が行われないように、判定部２０８から傾き判定信号Ｓ２１０として“０”を出力する（ステップｓ２３）。
【００９９】
一方、判定部２０８において、前記補正停止信号Ｓ２０９がＨｉｇｈであり、また、前記極性連続判定部２０４において同じ極性Ｓ２０３が連続し、且つ絶対値連続判定部２０６において第１の閾値Ａより大きい値の絶対値Ｓ２０５が連続し、さらに該絶対値Ｓ２０５が前記第２の絶対値判定部２０７において第２の閾値Ｂより小さい値であると判断された場合には、その連続する期間を検出し、該検出された期間に応じた傾き判定信号Ｓ２１０を出力する（ステップｓ２２）。
【０１００】
例えば、図１２に示すように、差分値Ｓ１０９の極性Ｓ２０３が同じで、且つその絶対値Ｓ２０５が第１の閾値Ａより大きく、第２の閾値Ｂより小さい値である状態が４サンプル点連続した場合（例えば、図１１のＡ期間）には、第１，第２の切換回路１１１，１１２において、処理対象サンプル点からそれぞれ前後に２Ｔ分遅延した信号が選択されるように、傾き判定信号Ｓ１１０として“２”を出力する。
【０１０１】
そして、前記補正停止信号Ｓ２０９がＨｉｇｈ期間であっても、前記極性連続判定部２０４において同じ極性Ｓ２０３が連続しない場合、あるいは絶対値連続判定部２０６において第１の閾値Ａより大きい値の絶対値Ｓ２０５が連続しない場合（例えば、図１１のＣ期間）、あるいは前記絶対値Ｓ２０５が第２の閾値Ｂより大きい場合（例えば、図１１のＢ期間）には、第１，第２の切換回路１１１，１１２において、処理対象サンプル点からそれぞれ前後に０Ｔ分遅延した信号が選択されるように、傾き判定信号Ｓ１１０として“０”を出力する（ステップｓ２３）。
【０１０２】
以上のようにして得られた傾き判定信号Ｓ２１０は、前記第１，第２の切換部１１１，１１２に出力され、該各切換部１１１，１１２では、該傾き判定信号Ｓ２１０に応じて、入力される遅延信号を切換えて、それぞれ映像信号Ｓ１１１、Ｓ１１２を出力する（ステップｓ２４）。
【０１０３】
例えば、傾き判定信号Ｓ２１０として“２”が出力されると、前記第１の切換部１１１は遅延信号Ｓ１０２を、前記第２の切換部１１２は遅延信号Ｓ１０６を選択し、また、傾き判定信号Ｓ２１０として“０”が出力されると、前記第１，第２の切換部１１１は共に遅延信号Ｓ１０４を選択する。
【０１０４】
そしてこの後、第１，第２の切換部１１１，１１２から出力された映像信号Ｓ１１１，Ｓ１１２は係数器１１３、１１５で−１／２倍され、また、遅延信号Ｓ１０４は係数器１１４で２倍された後、加算器１１６で加算され（ステップｓ２５）、出力端子１１８より輪郭強調が施された映像信号Ｓ１１６として出力される。
【０１０５】
このようにすれば、従来のように入力映像信号に応じて予め定めた固定的な遅延時間で輪郭補正を行うのではなく、入力された映像信号Ｓ１００の傾きを判定し、該傾きに応じた遅延量だけ遅延された遅延信号を用いて、映像信号の輪郭補正処理を行うことが可能となるのに加え、傾きの極性が連続している間に映像信号Ｓ１００が急峻に変化した場合にも、輪郭補正を行うことを停止することが可能となり、輪郭補正を行うことにより生じる画質劣化をより確実に防ぐことができる。
【０１０６】
以上のように、本実施の形態２によれば、入力された映像信号Ｓ１００の傾き量を検出して、該傾き量に応じた傾き判定信号Ｓ２１０を出力する傾き検出判定回路２１７を設け、映像信号Ｓ１００の傾きの極性が同じで、且つ該絶対値が第１の閾値Ａより大きく、第２の閾値Ｂより小さい値である連続性を検出して、該連続性に応じた傾き判定信号Ｓ２１０を出力し、該傾き判定信号Ｓ２１０により選択された、処理対象となるサンプル点の前後の遅延信号Ｓ１１１，Ｓ１１２を用いて、輪郭補正後の映像信号Ｓ１１６を生成するようにしたので、前記映像信号Ｓ１００の傾きが同じ極性である状態が連続している間に、該映像信号Ｓ１００の傾きが急峻になった場合にも、該映像信号Ｓ１００の輪郭補正を停止することが可能となり、輪郭補正により生じる画質劣化をより確実に防ぐことができる。
【０１０７】
なお、本実施の形態２においては、傾き判定部２１０において、差分値Ｓ１０９の極性が同じで、且つ絶対値が第１の閾値Ａより大きく第２の閾値Ｂより小さい値である状態が４サンプル点連続した場合（例えば、図１１のＡ期間）を例に挙げて説明したが、前記極性及び絶対値の連続期間と、傾き判定信号Ｓ２１０の出力値の組み合わせは任意である。また、ユーザーからの指示が判定部２０８に入力されるように構成し、前記連続期間と傾き判定信号Ｓ２１０の出力値との組み合わせをユーザーが選択可能なようにしてもよい。なお、前記連続期間と傾き判定信号Ｓ２１０の出力値との組み合わせとしては、第１の閾値Ａより大きく、第２の閾値Ｂより小さい差分値Ｓ１０９がＮサンプル点（ただしＮは、映像信号Ｓ１００を遅延させるフリップフロップ数以下の整数）連続して入力された時、第１，第２の切換部１１１，１１２にて選択される遅延信号の遅延量が、補正対象の映像信号に対してそれぞれＮ／２のサンプル差となるように選択すれば、映像信号の傾きに対する補正効果が大きくなり、望ましい。
【０１０８】
また、本実施の形態２においては、補正停止信号発生部２０９にて生成される補正停止信号Ｓ２０９により輪郭補正が停止される期間の一例として、映像信号Ｓ１００の帰線期間を挙げたが、この輪郭補正停止期間は、上下黒帯のシネマ信号が入力されている期間であってもよいし、文字放送やメニュー表示などのオンスクリーン信号が表示されている期間であってもよい。
【０１０９】
さらに、本実施の形態２においては、図１２に示すように、傾き検出判定部２１７において、映像信号Ｓ１００の傾きが検出された範囲（例えば図１１のＡ期間）のサンプリング点の全てに対して、該傾き量に応じた遅延量を遅延させる場合について説明したが、前記実施の形態１で図８を用いて説明したように、映像信号Ｓ１００の傾きが検出された範囲のサンプリング点の全てに対して選択した遅延量を遅延させるのではなく、該検出された範囲の両サイドを狭めた範囲（例えば図８のＡ’期間、Ｂ’期間）のサンプリング点に対してのみ前記選択した遅延量を遅延させるようにしてもよい。このようにすれば、映像信号Ｓ１００の傾きの開始位置と終了位置とにシュート成分を付けずに、映像信号Ｓ１００の傾きを急峻にする輪郭補正を実現できる。またその他にも、傾き判定信号Ｓ２１０が“０”から“２”へ変化する際、傾き判定信号Ｓ２１０を“０”、“１”、“２”と順に変化させるようにしてもよい。このようにすれば、映像信号Ｓ１００の傾きの変化点において、傾きを滑らかに切り換えることが可能となる。
【０１１０】
（実施の形態３）
以下、図１３〜図１５を用いて、本実施の形態２における輪郭補正装置について説明する。
前記実施の形態においては、入力される映像信号Ｓ１００の傾きに応じた遅延量を選択し、該選択された遅延信号を用いて輪郭補正を行うものとしたが、本実施の形態３においては、入力される映像信号Ｓ１００の傾きに応じた微分係数で微分する微分回路を選択し、該選択された微分回路にて微分された補正信号を用いて輪郭補正を行うようにしたものである。
【０１１１】
まず、図１３及び図１４を用いて、本実施の形態３における輪郭補正装置の構成について説明する。図１３は、本実施形態３における輪郭補正装置の構成を示すブロック図であり、図１４は、本実施の形態３の輪郭補正装置における第１、第２の微分回路切換部の詳細な構成の一例を示す図である。
【０１１２】
図１３において、３０１はそれぞれ微分係数の異なる複数の１次微分回路を、前記傾き検出判定回路１１７からの傾き判定信号Ｓ１１０に応じて切り換えて、入力された映像信号Ｓ１００を該選択された微分回路にて微分する第１の１次微分回路切換部であり、より詳細には、図１４に示すように、複数の微分回路４０１〜４０３と、該複数の微分回路４０１〜４０３を前記傾き検出判定部１１０からの傾き判定信号Ｓ１１０に応じて切り換える切換回路４０４とからなる。３０２は前記第１の微分回路切換部３０１からの出力を、予め設定されたコアリング量に応じてコアリングするコアリング回路である。３０３は、それぞれ微分係数の異なる複数の１次微分回路を、前記傾き検出判定回路１１７からの傾き判定信号Ｓ１１０に応じて切り換えて、前記コアリング回路３０２からの出力を該選択された微分回路にて微分する第２の１次微分回路切換部であり、前述した第１の１次微分回路と同様の構成を有する。３０４は該傾き検出判定回路１１７からの傾き判定信号Ｓ１１０に応じて、前記コアリング回路３０２からの出力を遅延させる第２の遅延回路である。３１０，３０５は前記第２の１次微分回路切換部３０３、あるいは前記第２の遅延回路３０４からの出力の絶対値を出力する第１，第２の全波整流回路であり、３０６は該第１，第２の全波整流回路３１０，３０５からの出力のうち、最小値を選択する最小値選択回路である。そして、３１１は前記最小選択回路３０６からの出力に、前記第２の１次微分回路切換部３０３からの極性信号Ｓ３１２に基づいて極性を付加する符号付加部で、３０７は前記符号付加部３１１の出力に補正量に応じたゲインをかけるゲインコントロール回路である。３０８は入力された映像信号Ｓ１００を遅延させる第１の遅延回路、そして、３０９は前記第１の遅延回路３０８の出力から、前記ゲインコントロール回路３０７の出力を減算する減算器である。
【０１１３】
なお、このほかの構成は前記実施の形態１の構成と同様であるため、ここでは説明を省略する。
【０１１４】
次に、以上のように構成された輪郭補正装置の動作を、図１５を参照しながら説明する。図１５は、本実施の形態３にかかる輪郭補正装置の各部より出力される信号波形の一例を示す図である。なお、ここでは、外部より入力映像信号Ｓ１００として、図１５に示すような、一水平期間内に複数の傾きを持った信号が入力された場合を例に挙げて説明する。
【０１１５】
まず、図１５に示すような映像信号Ｓ１００が入力端子１００に入力されると、映像信号Ｓ１００は、第１の遅延回路３０８、及び第１の１次微分回路切換部３０１に入力されると共に、傾き検出判定部１１７に入力される。
【０１１６】
前記傾き検出判定部１１７に入力された映像信号Ｓ１００は、該傾き検出判定部１１７において映像信号Ｓ１００の傾き量を検出し、該映像信号Ｓ１００の傾きに応じた傾き判定信号Ｓ１１０を、第１，第２の１次微分回路３０１，３０３、及び第２の遅延回路３０４に出力する（図１５のＳ１１０参照）。この傾き判定信号Ｓ１１０の生成については、前記実施の形態１において説明したものと同様である。
【０１１７】
一方、前記第１の１次微分回路切換部３０１に入力された映像信号Ｓ１００は、該第１の１次微分回路切換部３０１の切換部４０４において、１次微分信号Ｓ４０１、Ｓ４０２、Ｓ４０３から傾き判定信号Ｓ１１０に応じた１次微分信号Ｓ３０１を選択する。このとき、例えば、傾き判定信号Ｓ１１０が“２”であれば、１次微分回路ａからの信号Ｓ４０１を選択し、傾き判定信号Ｓ１１０が“４”であれば、１次微分回路ｎからの信号Ｓ４０３を選択し、傾き判定信号Ｓ１１０が“０”であれば、固定値０を選択するようにする。つまり、映像信号Ｓ１００の差分値Ｓ１０９の極性、及び絶対値を検出し、該極性が同じで、且つ閾値Ａより大きい値の絶対値が連続する場合は、前記傾き判定信号Ｓ１１０に応じた微分回路からの１次微分信号Ｓ３０１が出力され、それ以外の、映像信号Ｓ１００が急峻な傾きをもつ場合は、固定値０が１次微分信号Ｓ３０１として出力される。
【０１１８】
次に、前記１次微分信号Ｓ３０１はコアリング回路３０２に入力され、あらかじめ設定されたコアリング量ｋに応じてコアリングされ、コアリング１次微分信号Ｓ３０２が出力される。このコアリング回路３０２を設けることで、ノイズを含む小振幅信号に対する本装置の動作を制限することが可能となり、出力信号への雑音の増加を防止することができる。
【０１１９】
そして、前記コアリング１次微分信号Ｓ３０２は、第２の１次微分回路３０３に入力され、該第２の１次微分回路切換部３０３の切換部４０４において、傾き判定信号Ｓ１１０に応じた２次微分信号Ｓ３０３を選択する。
【０１２０】
また、同時に前記コアリング１次微分信号Ｓ３０２は第２の遅延回路３０４において、前記傾き判定信号Ｓ１１０に応じた遅延量だけ遅延された後、第２の全波整流回路３０５にて、該遅延されたコアリング１次微分信号Ｓ３０２の絶対値である全波整流１次微分信号Ｓ３０５を得る。
【０１２１】
そして、前記全波整流１次微分信号Ｓ３０５と、２次微分信号Ｓ３０３を第１の全波整流回路３１０にて絶対値にした全波整流２次微分信号Ｓ３１０とは、最小値選択回路３０６に入力され、該最小値選択回路３０６において、前記全波整流１次微分信号Ｓ３０５及び全波整流２次微分信号Ｓ３１０のうちの最小値を選択して、補正２次微分信号Ｓ３０６を出力する。
【０１２２】
前記補正２次微分信号Ｓ３０６は、符号付加部３１１において、前記第２の１次微分回路切換部３０３から出力される極性信号Ｓ３１２に基づいて符号が付加され、ゲインコントロール回路３０７において補正量ｌに応じて振幅が調整されて、補正信号Ｓ３０７となる。
【０１２３】
この後、前記第１の遅延回路３０８において遅延された遅延信号Ｓ３０８から、前記補正信号Ｓ３０７を減算器３０９で減算し、出力端子１１８より輪郭強調が施された映像信号Ｓ３０９が出力される。
【０１２４】
このようにすれば、従来のように入力映像信号に応じて予め定めた固定の微分回路で微分された値を用いて輪郭補正を行うのではなく、入力された映像信号Ｓ１００の傾きに応じた傾き判定信号Ｓ１１０を検出して、該映像信号の傾きに応じた微分回路で微分された値を用いて輪郭補正を行うことが可能となる。
以上のように本実施の形態３によれば、従来の輪郭補正装置に、入力された映像信号Ｓ１００の傾き量を検出して、該傾き量に応じた傾き判定信号Ｓ１１０を出力する傾き検出判定回路１１７を設け、該傾き判定信号Ｓ１１０に応じて第１，第２の１次微分回路切換部３０１，３０２中の微分回路を切り換えるようにしたので、前記入力された映像信号Ｓ１００の輪郭補正を行う際に、該映像信号毎に予め定められた固定の微分回路で微分された補正信号を用いて映像信号の輪郭補正を行うのではなく、該映像信号Ｓ１００の傾きに応じて選択された最も効果を発揮する微分回路を選択して、該選択された微分回路にて微分された補正信号を用いて映像信号Ｓ１００の輪郭補正を行うことができる。
【０１２５】
なお、本実施の形態３においては、コアリング回路３０２を第１の１次微分回路切換部３０１の後段に挿入したが、該コアリング回路３０２を削除し、前記最小値選択回路３０６の後段にコアリング回路を挿入してもよい。
【０１２６】
また、本実施の形態３においては、傾き検出判定部が、前記実施の形態１の傾き検出判定部１１７の構成を有する場合を例に挙げて説明したが、前記実施の形態２の傾き検出判定部２１７の構成を有するものであってよい。この場合は、映像信号Ｓ１００の差分値Ｓ１０９の極性、及び絶対値を検出し、該極性が同じで、且つ第１の閾値Ａより大きく、第２の閾値Ｂより小さい値の絶対値が連続する場合に、前記傾き判定信号Ｓ２１０に応じた微分回路からの１次微分信号Ｓ３０１が出力され、それ以外の場合、つまり映像信号Ｓ１００が急峻な傾きをもつ場合は、固定値０が１次微分信号Ｓ３０１として出力される。これにより、前記映像信号Ｓ１００の傾きが同じ極性である状態が連続している間に、該映像信号Ｓ１００の傾きが急峻になった場合にも、該映像信号の輪郭補正を停止することが可能となり、輪郭補正により生じる画質劣化をより確実に防ぐことができる。
【０１２７】
（実施の形態４）
以下、図１６を用いて、本発明の実施の形態４における画像表示装置について説明する。
図１６は本実施の形態４にかかる画像表示装置の構成を示す図である。
【０１２８】
図１６において、５００はコンポジット映像信号などのアナログ放送信号Ｓ５００を受信する入力端子、５０４は入力されたアナログ放送信号Ｓ５００をデコードするアナログ放送デコーダ、５０３はデジタル放送信号Ｓ５０３を受信する入力端子、５０５は入力されたデジタル放送信号Ｓ５００をデコードできるデジタル放送デコーダ、５０１はＤＶＤ及びビデオなどから入力された外部映像入力信号Ｓ５０１の入力端子、５０２はＤＶＤ及びビデオなどから入力された外部音声入力信号Ｓ５０２の入力端子であり、５０６はアナログ放送信号Ｓ５００のうちアナログ映像信号Ｓ５０３Ｖと、デジタル放送信号Ｓ５０３のうちのデジタル映像信号Ｓ５０４Ｖと、外部映像入力信号Ｓ５０１とを切り換え、アナログ放送輝度信号Ｓ５０６Ｙと、アナログ放送色差信号Ｓ５０６Ｃとを出力するセレクタである。
【０１２９】
５０７は、前記輝度信号用の輪郭補正装置であり、５０８は前記色差信号Ｓ５０６Ｃ用の輪郭補正装置である。なお、これらの輪郭補正装置５０７，５０８の構成は前記実施の形態１の構成と同様であるため、ここでは説明を省略する。
【０１３０】
５１１は、前記輝度信号，色差信号用の輪郭補正装置５０７，５０８から出力される輪郭強調が施された輝度信号，色差信号Ｓ５０７，Ｓ５０８を受信して、ＲＧＢ変換を行うＲＧＢ変換回路であり、５１２は該ＲＧＢ変換回路５１１からの信号を受信して映像を表示するディスプレイである。
【０１３１】
５１３は、アナログ音声信号Ｓ５０３Ａと、デジタル音声信号Ｓ５０４Ａと、外部音声入力信号Ｓ５０２とを切り換えて出力するセレクタであり、５１４は前記セレクタ５１３から出力された音声信号Ｓ５１３を処理する音声処理回路、５１５は該音声処理回路５１４からの出力Ｓ５１４を出力するスピーカである。
【０１３２】
次に、以上のように構成された画像表示装置の動作について説明する。
アナログ放送用チューナから入力端子５００を介して入力されたアナログ放送信号Ｓ５００は、アナログ放送デコーダ５０４で、アナログ映像信号Ｓ５０４Ｖと、アナログ音声信号Ｓ５０４Ａに分離し、復調する。
【０１３３】
一方、入力端子５０３から入力されたデジタル放送信号Ｓ５０３は、デジタル放送デコーダ５０５で、デジタル映像信号Ｓ５０５Ｖと、デジタル音声信号Ｓ５０５Ａに分離し、復調する。
【０１３４】
そして、セレクタ５０６において、アナログ放送の輝度信号Ｓ５０４Ｙと色差信号Ｓ５０４Ｃ、デジタル放送の輝度信号Ｓ５０５Ｙと色差信号Ｓ５０５Ｃ、及び外部入力映像信号の輝度信号Ｓ５０１Ｙと色差信号Ｓ５０１Ｃを、また、セレクタ５１３において、アナログ放送音声信号Ｓ５０４Ａ、デジタル放送音声信号Ｓ５０５Ａ、及び外部入力音声信号Ｓ５０２を、選局に応じて切り換え、輝度信号Ｓ５０６Ｙと色差信号Ｓ５０６Ｃ、及び音声信号Ｓ５１３を出力する。
【０１３５】
そして、輝度信号Ｓ５０６Ｙを、輝度信号用輪郭補正装置５０７にて、該傾き検出判定部で傾き判定信号Ｓ１１０を出力し、該傾き判定信号Ｓ１１０に基づいて輪郭部の補正強調を行った輝度信号Ｓ５０７を得、一方、色差信号Ｓ５０６Ｃを、色差信号用輪郭補正装置５０８にて、該傾き検出判定部で傾き判定信号Ｓ１１０を出力し、該傾き判定信号Ｓ１１０に基づいて輪郭部の補正強調を行った輝度信号Ｓ５０８を得る。
【０１３６】
この後、輪郭補正がなされた輝度信号Ｓ５０７及び色差信号Ｓ５０８は、ＲＧＢ変換回路５１１でマトリクス演算を行い、Ｒ，Ｇ，Ｂ信号へ変換され、ディスプレイ５１２に映し出される。
また、音声信号Ｓ５１３は音声処理回路５１４により音声処理を施し、スピーカ５１５より出力される。
【０１３７】
以上のように本実施の形態４によれば、入力された映像信号の輝度信号及び色差信号の傾きを検出し、該輝度信号、及び色差信号の傾き量に応じて映像信号の輪郭補正を行うことが可能となり、表示する映像を画質の劣化を生じさせることなく、画質の鮮鋭度を上げる画像表示装置が得られる。
【０１３８】
なお、本実施の形態４においては、輝度信号用，色差信号用輪郭補正装置５０７，５０８が、前記実施の形態１の構成と同じであるとして説明したが、輝度信号用，色差信号用輪郭補正装置５０７，５０８が、前記実施の形態２あるいは前記実施の形態３の構成と同じであっても、同様の効果が得られる。
【産業上の利用可能性】
【０１３９】
本発明にかかる輪郭補正方法、輪郭補正装置、及びその輪郭補正装置を用いた画像表示装置によれば、映像信号処理における輪郭補正装置等として有用である。また、入力された映像信号の絵柄抽出等の用途にも応用できる。
【図面の簡単な説明】
【０１４０】
【図１】本発明の実施の形態１にかかる輪郭補正装置の構成を示す図である。
【図２】本発明の実施の形態１の輪郭補正装置における、傾き検出判定部の詳細な構成を示す図である。
【図３】本発明の実施の形態１にかかる輪郭補正装置の一連の動作を示すフローチャートである。
【図４】本発明の実施の形態１にかかる輪郭補正装置の各部から出力される信号波形図である。
【図５】本発明の実施の形態１の輪郭補正装置における、傾き検出判定部の各部から出力される信号波形図である。
【図６】本発明の実施の形態１の輪郭補正装置における、補正停止信号発生部の構成の一例を示す図である。
【図７】本発明の実施の形態１の輪郭補正装置における、補正停止信号発生部の各部から出力される信号波形図である。
【図８】本発明の実施の形態１の輪郭補正装置における、傾き検出判定部の各部から出力される信号波形の別の例を示す図である。
【図９】本発明の実施の形態２の輪郭補正装置における、傾き検出判定部の詳細な構成を示す図である。
【図１０】本発明の実施の形態２にかかる輪郭補正装置の一連の動作を示すフローチャートである。
【図１１】本発明の実施の形態２にかかる輪郭補正装置の各部から出力される信号波形図である。
【図１２】本発明の実施の形態２の輪郭補正装置における、傾き検出判定部の各部から出力される信号波形図である。
【図１３】本発明の実施の形態３にかかる輪郭補正装置の構成を示す図である。
【図１４】本発明の実施の形態３にかかる輪郭補正装置の、１次微分回路切換の構成を示す図である。
【図１５】本発明の実施の形態３にかかる輪郭補正装置の各部から出力される信号波形図である。
【図１６】本発明の実施の形態４にかかる画像表示装置の構成を示す図である。
【図１７】従来の輪郭補正装置の構成を示す図である。
【図１８】従来の輪郭補正装置の各部から出力される信号波形図である。
【符号の説明】
【０１４１】
１００、５００、５０１、５０２、５０３、９００  入力端子
１０１、１０２、１０３、１０４、１０５、１０６、１０７、１０８、２０１  フリップフロップ
１０９  傾き検出部
１１０、２１０  傾き判定部
１１１  第１の切換部
１１２  第２の切換部
１１３、１１４、１１５、９１１、９１２、９１３  係数器
１１６、９１４  加算器
１１７  傾き検出判定部
１１８、９１８  出力端子
２０２  差分回路
２０３  極性検出部
２０４  極性連続判定部
２０５  絶対値検出部
２０６  絶対値連続判定部
２０７  第２の絶対値判定部
２０８  判定部
２０９  補正停止信号発生部
２９１  同期分離回路
２９３  垂直イネーブルパルス発生回路
２９４  水平イネーブルパルス発生回路
２９５  合成回路  
３０１  第１の１次微分回路切換部
３０２  コアリング回路
３０３  第２の１次微分回路切換部
３０４  第２の遅延回路
３０５  第２の全波整流回路
３０６  最小値選択回路
３０７  ゲインコントロール回路
３０８  第１の遅延回路
３０９  減算器
３１０  第１の全波整流回路
３１１  符号付加部
４０１、４０２、４０３  １次微分回路
４０４  切換部
５０４  アナログ放送デコーダ
５０５  デジタル放送デコーダ
５０６、５１３  セレクタ
５０７  輝度信号用輪郭補正装置
５０８  色差信号用輪郭補正装置
５１１  ＲＧＢ変換部
５１２  ディスプレイ
５１４  音声処理回路
５１５  スピーカ
９０１、９０２、９０３、９０４、９０５、９０６、９０７、９０８  遅延素子
９０５、９１０  スイッチ
９１５、９１６  遅延素子群
９１７  切換信号発生部
【図１】
2005236805.tif 000003
【図２】
2005236805.tif 000004
【図３】
2005236805.tif 000005
【図４】
2005236805.tif 000006
【図５】
2005236805.tif 000007
【図６】
2005236805.tif 000008
【図７】
2005236805.tif 000009
【図８】
2005236805.tif 000010
【図９】
2005236805.tif 000011
【図１０】
2005236805.tif 000012
【図１１】
2005236805.tif 000013
【図１２】
2005236805.tif 000014
【図１３】
2005236805.tif 000015
【図１４】
2005236805.tif 000016
【図１５】
2005236805.tif 000017
【図１６】
2005236805.tif 000018
【図１７】
2005236805.tif 000019
【図１８】
2005236805.tif 000020